(57)【要約】【課題】著作権者の利益を確保し、かつ、ユーザの利便性を向上させつつ、電子ブック端末に記録されている、コピー制限が設定された電子ブックデータのコピー制御を実行する画像形成装置を提供すること。【解決手段】コピー制限解除部２１１ｃは、電子ブック端末に記録されている、コピー制限が設定された電子ブックデータを電子ブック端末から消去すること、又は、前記電子ブックデータに係る著作権料の入金により、当該電子ブックデータのコピー制限を解除する。電子ブックデータコピー制御部２１１は、コピー制限解除部２１１ｃの動作により、コピー制限が設定された電子ブックデータのコピーを可能にする。【選択図】図２
2011257903.tif 000002
【特許請求の範囲】
【請求項１】
コピー制限が設定された電子ブックデータが記録された電子ブック端末と接続する端末接続部と、
前記電子ブックデータを前記電子ブック端末から消去する消去部と、
前記電子ブックデータに設定されたコピー制限に予め定められた所定の著作権料の入金確認部と、
前記電子ブックデータを前記電子ブック端末から消去すること、又は、前記電子ブックデータに係る著作権料の入金により、前記電子ブックデータのコピー制限を解除するコピー制限解除部とを備え、
前記コピー制限解除部の動作により、前記電子ブックデータのコピーを可能にすることを特徴とする画像形成装置。
【請求項２】
請求項１に記載の画像形成装置において、
前記消去部は、前記電子ブックデータの消去を指示する消去コマンドを前記電子ブック端末に送信し、当該消去コマンドに対する当該電子ブック端末からの消去完了コマンドを受信することにより、前記電子ブックデータのコピー制限を解除することを特徴とする画像形成装置。
【請求項３】
請求項２に記載の画像形成装置において、
前記端末接続部を介してコピー制限が設定された前記電子ブックデータを受信、記録し、
前記コピー制限が解除された前記電子ブックデータのコピーが失敗すると、当該電子ブックデータを前記電子ブック端末に送信することを特徴とする画像形成装置。
【発明の詳細な説明】
【技術分野】
【０００１】
本発明は、電子ブック端末と接続し、当該端末に記録された電子ブックデータをコピーする画像形成装置に関する。
【背景技術】
【０００２】
サーバ装置等から電子ブック端末に電子ブックデータをダウンロードし、当該端末にて、当該電子ブックデータを閲覧することが行われている（特許文献１参照）。電子ブックデータは、小説、新聞、雑誌、漫画等の各種コンテンツに係る文章、画像等の電子データから構成されるものである。
【０００３】
電子ブックデータに係るコンテンツの著作権者（複製権者、出版権者）を保護するため、通常、電子ブックデータには複製制限が設定される。以下、複製制限として、電子ブックデータのコピー（印刷）制限について説明する。
【０００４】
前記コピー制限が設定された電子ブックデータは、ダウンロード先の電子ブック端末においてのみ閲覧が可能であり、当該電子ブックデータを紙媒体にコピーすることは制限されている。
【先行技術文献】
【特許文献】
【０００５】
【特許文献１】特開２００６−１３４３３０号公報
【発明の概要】
【発明が解決しようとする課題】
【０００６】
コピー制限が設定された電子ブックデータであっても、ユーザによっては、紙媒体で読みたいニーズもあり、紙媒体にコピーできないと不便なこともある。
他方、電子ブックデータのコピーを許可すると電子ブックデータの著作権者の利益（権利）を大きく損なうことになる。
【０００７】
本発明は、著作権者の利益を確保し、かつ、ユーザの利便性を向上させつつ、電子ブック端末に記録されている、コピー制限が設定された電子ブックデータのコピー制御を実行する画像形成装置を提供することを目的とする。
【課題を解決するための手段】
【０００８】
第１の技術手段は、コピー制限が設定された電子ブックデータが記録された電子ブック端末と接続する端末接続部と、前記電子ブックデータを前記電子ブック端末から消去する消去部と、前記電子ブックデータに設定されたコピー制限に予め定められた所定の著作権料の入金確認部と、前記電子ブックデータを前記電子ブック端末から消去すること、又は、前記電子ブックデータに係る著作権料の入金により、前記電子ブックデータのコピー制限を解除するコピー制限解除部とを備え、前記コピー制限解除部の動作により、前記電子ブックデータのコピーを可能にすることを特徴とする画像形成装置である。
【０００９】
第２の技術手段は、第１の技術手段において、前記消去部は、前記電子ブックデータの消去を指示する消去コマンドを前記電子ブック端末に送信し、当該消去コマンドに対する当該電子ブック端末からの消去完了コマンドを受信することにより、前記電子ブックデータのコピー制限を解除することを特徴とするものである。
【００１０】
第３の技術手段は、第２の技術手段において、前記端末接続部を介してコピー制限が設定された前記電子ブックデータを受信、記録し、前記コピー制限が解除された前記電子ブックデータのコピーが失敗すると、当該電子ブックデータを前記電子ブック端末に送信することを特徴とするものである。
【発明の効果】
【００１１】
本発明によれば、電子ブック端末に記録されている、コピー制限が設定された電子ブックデータであっても、前記電子ブックデータを電子ブック端末から消去すること、又は、前記電子ブックデータに係る著作権料の入金により、当該電子ブックデータに設定されているコピー制限を解除し、当該電子ブックデータをコピーすることができる。
その結果、著作権者の利益を確保し、かつ、ユーザの利便性を向上させることができる。
【図面の簡単な説明】
【００１２】
【図１】電子ブックデータ送信サーバ装置、本発明に係る画像形成装置、課金装置、電子ブック端末で構成する電子ブックシステムの一例を示す概略図である。
【図２】本発明に係る画像形成装置の機能ブロック図である。
【図３】電子ブック端末の機能ブロック図である。
【図４】画像形成装置に表示される操作画面の一例である。
【図５】電子ブックデータコピー用操作画面の一例である。
【図６】コピーする電子ブックデータの選択画面の一例である。
【図７】コピーに必要な著作権料及びコピー代金を示す代金画面の一例である。
【図８】コピー中であることをユーザに報知する報知画面の一例である。
【図９】コピーに必要なコピー代金を示す代金画面の一例である。
【図１０】コピー中であることをユーザに報知する報知画面の一例である。
【図１１】コピーが失敗したことをユーザに報知する報知画面の一例である。
【図１２Ａ】コピー制限が設定された電子ブックデータのコピー制御を実行する処理を説明する第１フロー図である。
【図１２Ｂ】コピー制限が設定された電子ブックデータのコピー制御を実行する処理を説明する第２フロー図である。
【発明を実施するための形態】
【００１３】
図１は、電子ブックデータ送信サーバ装置（以下、送信サーバ装置と略記する）１、本発明に係る画像形成装置２、課金装置３、電子ブック端末４で構成する電子ブックシステムの一例を示す概略図である。
【００１４】
送信サーバ装置１は、電子ブックデータを記録（管理）し、画像形成装置２又は電子ブック端末４からの電子ブックデータ送信要求に基づき、画像形成装置２又は電子ブック端末４に電子ブックデータを送信する。他にも、記録されている電子ブックデータをコピーするのに必要な著作権料も記録する。
【００１５】
画像形成装置２は、電子ブック端末４に記録されている、コピー制限が設定された電子ブックデータであっても、前記電子ブックデータを電子ブック端末４から消去すること、又は、前記電子ブックデータに係る著作権料（コピーに必要な著作権料）の入金により、当該電子ブックデータに設定されているコピー制限を解除し、当該電子ブックデータのコピーを可能にする機能を備える。詳細については、後述する。
【００１６】
なお、画像形成装置２は、送信サーバ装置１に対して電子ブックデータの送信要求を行い、送信サーバ装置１から送信された電子ブックデータをダウンロード（受信）し、記録する。そして、電子ブック端末４からの電子ブックデータ送信要求に基づき、記録している電子ブックデータを電子ブック端末４に送信する。
【００１７】
課金装置３は、コインボックス等から構成され、投入された代金額（料金額）を示す代金情報を画像形成装置２に送信する。
【００１８】
電子ブック端末４は、端末内に記録された電子ブックデータを表示出力する。なお、電子ブック端末４は、画像形成装置２を介して送信サーバ装置１から電子ブックデータをダウンロードして記録することもできるし、また、送信サーバ装置１から電子ブックデータを直接ダウンロードして記録することもできる。
【００１９】
図２は、画像形成装置２の機能ブロック図で、画像形成装置２は、ネットワーク接続部２０１、課金装置接続部２０２、端末接続部２０３、操作部２０４、表示部２０５、画像形成部２０６、記録部２０７、メモリ２０８、電子ブックデータダウンロード部２１０、電子ブックデータコピー制御部２１１、制御部２１２を備える。
【００２０】
ネットワーク接続部２０１は、ネットワークＮに対するインターフェイス機能を提供し、ネットワークＮに接続している送信サーバ装置１とデータ送受信を実行する。
【００２１】
課金装置接続部２０２は、課金装置３と接続し、課金装置３から送信される代金情報を受信する。
【００２２】
端末接続部２０３は、例えば、無線通信機能、赤外線通信機能を備え、電子ブック端末４と接続しデータ送受信を実行する。
【００２３】
操作部２０４は、テンキーやコピースタートキー等から構成され、画像形成装置２を操作する操作パネルである。
表示部２０５は、液晶パネル、タッチパネル等から構成され、各種操作画面や画像形成装置の状態情報を表示する。
【００２４】
画像形成部２０６は、感光体ドラム、印字ユニット等を備え、電子ブックデータの画像形成（コピー）を実行する。
記録部２０７は、ＨＤＤ（Hard Disk Drive）等から構成される大容量記録装置で、送信サーバ装置１からダウンロードした電子ブックデータ等を記録する。メモリ２０８は、各種制御情報を記録する。
【００２５】
電子ブックデータダウンロード部２１０は、送信サーバ装置１から電子ブックデータをダウンロードし、記録部２０７に記録する処理を実行する。ダウンロードした電子ブックデータは、例えば、画像形成部２０６によりコピーされたり、電子ブック端末４に送信される。
【００２６】
電子ブックデータコピー制御部２１１は、電子ブック端末４に記録されている、コピー制限が設定された電子ブックデータのコピー処理を制御する。また、電子ブックデータコピー制御部２１１は、電子ブックデータ消去部２１１ａ、入金確認部２１１ｂ、コピー制限解除部２１１ｃを備える。
【００２７】
電子ブックデータ消去部２１１ａは、電子ブック端末４に記録されている、コピー制限が設定された電子ブックデータをコピーする際に、当該電子ブックデータを電子ブック端末４から消去する。
【００２８】
入金確認部２１１ｂは、電子ブック端末４に記録されている、コピー制限が設定された電子ブックデータをコピーする際に、当該電子ブックデータに設定されたコピー制限に予め定められた所定の著作権料の入金確認を行う。なお、前記所定の著作権料については、後述する。
【００２９】
コピー制限解除部２１１ｃは、前記電子ブックデータを電子ブック端末４から消去すること、又は、前記電子ブックデータに係る著作権料の入金により、当該電子ブックデータのコピー制限を解除する。
【００３０】
電子ブックデータコピー制御部２１１は、コピー制限解除部２１１ｃの動作により、前記電子ブックデータのコピーを可能にする。画像形成部２０６は、コピー制限が解除された電子ブックデータを印刷用データに変換し、コピーする。
【００３１】
制御部２１２は、ＣＰＵ、ＲＡＭ、ＲＯＭ等から構成され、各機能ブロックを制御すると共に、画像形成部２０６の動作状態を監視し、電子ブックデータのコピーが失敗したか否かを検知する。
【００３２】
図３は、電子ブック端末４の機能ブロック図で、電子ブック端末４は、画像形成装置接続部４０１、表示部４０２、電子ブックデータダウンロード部４０３、電子ブックデータ記録部４０４、電子ブックデータ管理部４０５、メモリ４０６、制御部４０７を備える。
【００３３】
画像形成装置接続部４０１は、例えば、無線通信機能、赤外線通信機能を備え、画像形成装置２と接続しデータ送受信を実行する。
表示部４０２は、液晶パネル、タッチパネル等から構成され、電子ブックデータや、操作用画面を表示する。
【００３４】
電子ブックデータダウンロード部４０３は、画像形成装置２を介して送信サーバ装置１から電子ブックデータをダウンロードし、電子ブックデータ記録部４０４に記録する処理等を実行する。なお、送信サーバ装置１から電子ブックデータを直接ダウンロードしてもよい。この場合、送信サーバ装置１と接続するための接続部（ネットワーク接続部）を設ける。
【００３５】
電子ブックデータ記録部４０４は、不揮発性メモリ等から構成され、電子ブックデータを記録する。
電子ブックデータ管理部４０５は、電子ブックデータ記録部４０４に記録されている電子ブックデータの管理を行う。また、前記電子ブックデータの属性情報を管理する。前記属性情報には、電子ブックデータの名称（書籍名）等の電子ブックデータに係る各種情報が記録されている。
【００３６】
メモリ４０６は、各種制御情報を記録する。
制御部４０７は、ＣＰＵ、ＲＡＭ、ＲＯＭ等から構成され、電子ブックデータの表示処理を制御すると共に、各機能ブロックを制御する。
【００３７】
以下に、画像形成装置２において実行されるコピー制限が設定された電子ブックデータのコピー制御を説明する。なお、電子ブック端末４の電子ブックデータ記録部４０４には、既に、コピー制限が設定された書籍名“ＡＡＡ”〜“ＤＤＤ”の電子ブックデータが記録され、電子ブックデータ管理部４０５は、各電子ブックデータの属性情報を管理しているものとする。
【００３８】
まず、ユーザが、画像形成装置２の表示部２０５に表示されている、図４に示す操作画面４０の“書籍購入ボタン”４１を操作すると、電子ブックデータコピー制御部２１１は、図５に示す電子ブックデータコピー用操作画面５０を表示部２０５に表示する。
【００３９】
ユーザが、“電子ブック端末からのコピーボタン”５１を操作すると、電子ブックデータコピー制御部２１１は、図６に示す選択画面６０を表示部２０５に表示する。
なお、ユーザが、“書籍データ（購入）ダウンロードボタン”５２を操作すると、電子ブックデータダウンロード部２１０は、ユーザにより選択された電子ブックデータを送信サーバ装置１からダウンロードして、端末接続部２０３を介して接続している電子ブック端末４に送信する。また、ユーザが、“書籍データ（購入）ブック印刷ボタン”５３を操作すると、電子ブックデータダウンロード部２１０は、ユーザにより選択された電子ブックデータを送信サーバ装置１からダウンロードして、画像形成部２０６が、当該電子ブックデータを印刷する。
【００４０】
ユーザが、“電子ブック端末からのコピーボタン”５１を操作することにより表示された図６に示す選択画面６０は、案内文章６１、電子ブック端末４に記録されている電子ブックデータの中からコピーする電子ブックデータを選択する電子ブックデータ選択ボックス６２、電子ブックデータを電子ブック端末４に残したままコピーする“残すボタン”６３、電子ブックデータを電子ブック端末４に残さずに電子ブック端末４から消去してコピーする“残さないボタン”６４を有する。
【００４１】
ユーザが、選択画面６０の案内文章６１に従って、電子ブック端末４と画像形成装置２を接続し、両者間でデータ通信を実行できる状態にする。例えば、ユーザが、電子ブック端末４を画像形成装置２の近傍に近づけると、電子ブック端末４の画像形成装置接続部４０１と画像形成装置２の端末接続部２０３間で自動的に接続処理が実行され、データ送受信が可能になる。
【００４２】
前記接続処理が終了すると、画像形成装置２の電子ブックデータコピー制御部２１１は、電子ブック端末４の電子ブックデータ管理部４０５から、電子ブックデータ記録部４０４に記録されている電子ブックデータの属性情報を取得する。
【００４３】
電子ブックデータコピー制御部２１１は、取得した属性情報に基づき、電子ブック端末４に記録されている電子ブックデータの書籍名を電子ブックデータ選択ボックス６２に表示する。
電子ブックデータ選択ボックス６２には、書籍名“ＡＡＡ”〜“ＤＤＤ”の電子ブックデータが表示されている。
【００４４】
ユーザが、コピーする電子ブックデータの書籍名として“ＣＣＣ”を選択し、コピーするページとして０１〜９９を選択するとする。なお、説明のため、書籍名“ＣＣＣ”の電子ブックデータは９９ページの書籍であるとする。つまり、ユーザは、書籍名“ＣＣＣ”の電子ブックデータを全ページコピーする。以下の説明では、コピー対象となる書籍名“ＣＣＣ”の電子ブックデータを電子ブックデータＣと記す。
【００４５】
更に、ユーザが、“残すボタン”６３を操作すると、電子ブックデータコピー制御部２１１は、電子ブックデータＣを送信するように指示する送信コマンドを電子ブック端末４に送信する。前記送信コマンドを受信した電子ブック端末４の電子ブックデータ管理部４０５は、電子ブックデータＣを画像形成装置２に送信する。このとき、電子ブックデータＣは、電子ブック端末４の電子ブックデータ記録部４０４に記録されたままである（消去されていない）。
【００４６】
画像形成装置２の電子ブックデータコピー制御部２１１は、電子ブックデータＣを受信する。以下の説明では、電子ブック端末４に対して電子ブックデータの送信要求を行い、当該送信要求に応じて送信された電子ブックデータを取得（受信）する処理を電子ブックデータの取得と記す。
【００４７】
次いで、電子ブックデータコピー制御部２１１は、電子ブックデータＣに設定されたコピー制限に対応して予め定められた所定の著作権料に基づき、コピーに必要な著作権料及びコピー代金を決定する。コピーに必要な著作権料とは、電子ブックデータＣに係る著作権料（前記所定の著作権料）に対応するものであり、前記コピー代金は、トナー代金、紙代金に相当するものである。
【００４８】
前記所定の著作権料は、電子ブックデータＣのヘッダ領域等に格納されている場合もあるし、また、送信サーバ装置１に電子ブックデータＣに対応付けられて記録されている場合もある。
前者の場合には、電子ブックデータコピー制御部２１１は、電子ブックデータＣのヘッダ領域等から前記所定の著作権料を抽出する。後者の場合には、電子ブックデータコピー制御部２１１は、送信サーバ装置１から電子ブックデータＣに対応付けられて記録されている前記所定の著作権料を取得する。なお、画像形成装置２の記録部２０７に予め記録してもよい。
【００４９】
電子ブックデータコピー制御部２１１は、決定したコピーに必要な著作権料及びコピー代金に基づき、図７に示す代金画面７０を表示する。
【００５０】
ユーザが、代金画面７０の指示に従って、課金装置３に代金を投入すると、課金装置３は、投入された代金額を示す代金情報を画像形成装置２に送信する。前記代金情報を受信した画像形成装置２の入金確認部２１１ｂは、少なくとも、コピーに必要な著作権料が入金されたことを確認する。
【００５１】
前記著作権料の入金が入金確認部２１１ｂによって確認されると、コピー制限解除部２１１ｃは、電子ブックデータＣのコピー制限を解除する。
【００５２】
次いで、電子ブックデータＣのコピー代金の入金が確認されると、電子ブックデータコピー制御部２１１は、コピー制限が解除された電子ブックデータＣを、画像形成部２０６に出力する。
【００５３】
同時に、電子ブックデータコピー制御部２１１は、図８に示す報知画面８０を表示する。
ユーザが、報知画面８０の指示に従って、操作部２０４のスタートキーを操作すると、画像形成部２０６は、電子ブックデータＣを印刷用データに変換し、コピーを実行する。
【００５４】
即ち、電子ブックデータＣのコピーに必要な著作権料及びコピー代金の総額（６００円）の入金確認が行われると、電子ブックデータＣのコピー制限が解除され、コピーされる。
【００５５】
このようにすることで、コピー制限が設定された電子ブックデータであっても、コピー代金に加えてコピーに必要な著作権料が別途入金された場合には、当該電子ブックデータをコピーすることができる。
【００５６】
図６の説明に戻る。図６に示した選択画面６０において、ユーザが、選択画面６０の“残さないボタン”６４を操作すると、電子ブックデータコピー制御部２１１は、電子ブックデータＣを電子ブック端末４から取得する。
【００５７】
電子ブックデータコピー制御部２１１は、取得した電子ブックデータＣを記録部２０７に記録する。電子ブックデータＣの記録は、電子ブックデータＣのコピー処理に失敗した場合に備えて実行するものであり、詳細については後述する。
【００５８】
次いで、電子ブックデータコピー制御部２１１は、コピー代金を決定する。前記代金は、コピーに必要な著作権料を含まないものであり、コピー枚数等に基づいて決定される。
電子ブックデータコピー制御部２１１は、決定したコピー代金に基づき、図９に示す代金画面９０を表示する。
【００５９】
ユーザが代金画面９０の指示に従って、課金装置３に代金を投入すると、課金装置３は、投入された代金額を示す代金情報を画像形成装置２に送信する。前記代金情報を受信した画像形成装置２の電子ブックデータコピー制御部２１１は、決定したコピー代金（１００円）が入金されたか否かを確認する。
【００６０】
入金確認部２１１ｂが入金を確認すると、電子ブックデータ消去部２１１ａは、電子ブックデータＣを消去するように指示する消去コマンドを電子ブック端末４に送信する。前記消去コマンドを受信した電子ブック端末４の電子ブックデータ管理部４０５は、電子ブックデータ記録部４０４に記録されている電子ブックデータＣを消去する。前記消去の実行後、電子ブックデータＣを電子ブックデータ記録部４０４から消去したことを示す消去完了コマンドを画像形成装置２に送信する。
【００６１】
画像形成装置２の電子ブックデータコピー制御部２１１が、前記消去完了コマンドを受信すると、コピー制限解除部２１１ｃは、記録部２０７に記録されている電子ブックデータＣのコピー制限を解除し、画像形成部２０６は、コピー制限が解除された電子ブックデータＣをコピーする。同時に、電子ブックデータコピー制御部２１１は、図１０に示す報知画面１００を表示する。前記コピーが正常に終了すると、電子ブックデータ消去部２１１ａは、画像形成装置２の記録部２０７に記録されている電子ブックデータＣを消去する。
【００６２】
このようにすることで、コピー制限が設定された電子ブックデータであっても、前記電子ブックデータを電子ブック端末から消去すると、当該電子ブックデータをコピーすることができる。
また、コピー実行中に、画像形成装置２と電子ブック端末４の通信が切断されても、電子ブック端末４には電子ブックデータが残らないので、不正コピーを防止することができる。
【００６３】
ところで、前述したように、画像形成装置２の画像形成部２０６は、コピー制限が解除された電子ブックデータＣをコピーするが、用紙詰まり（ジャム）、用紙・トナー切れ等が原因でコピーが失敗することがある。
【００６４】
そこで、画像形成装置２の制御部２１２が、電子ブックデータＣのコピーが失敗したことを検知すると、電子ブックデータコピー制御部２１１は、図１１に示す報知画面１１０を表示する。同時に、記録部２０７に記録した電子ブックデータＣを電子ブック端末４に送信し、当該電子ブックデータを電子ブック端末４に書き戻す処理を実行する。また、課金装置３に対して入金された代金を返却するように指示する。 
【００６５】
図１２Ａは、コピー制限が設定された電子ブックデータのコピー制御を実行する処理を説明する第１フロー図、図１２Ｂは、同第２フロー図である。以下の説明では、既に、電子ブック端末４にコピー対象となる電子ブックデータＣが記録されているものとする。
【００６６】
図５に示す電子ブックデータコピー用操作画面５０内の“電子ブック端末からのコピーボタン”５１をユーザが操作することにより表示された、図６に示す選択画面６０の指示に従って、ユーザが電子ブック端末４と画像形成装置２を接続する（ステップＳ１）。
【００６７】
接続後、画像形成装置２の電子ブックデータコピー制御部２１１は、電子ブック端末４の電子ブックデータ管理部４０５から、電子ブックデータ記録部４０４に記録されている電子ブックデータＣ等の属性情報を取得する（ステップＳ２）。
【００６８】
ユーザが、選択画面６０の電子ブックデータ選択ボックス６２からコピー対象となる電子ブックデータＣを選択し、電子ブックデータＣを電子ブック端末４に残したままコピーする“残すボタン”６３を操作すると（ステップＳ３／残すボタン操作）、電子ブックデータコピー制御部２１１は、電子ブックデータＣを電子ブック端末４から取得し（ステップＳ４）、電子ブックデータＣに設定されたコピー制限に対応して予め定められた所定の著作権料に基づき、コピーに必要な著作権料及びコピー代金を決定する（ステップＳ５）。
【００６９】
入金確認部２１１ｂが、電子ブックデータコピー制御部２１１が決定したコピーに必要な著作権料が入金されたことを確認すると（ステップＳ６／ＹＥＳ）、コピー制限解除部２１１ｃは、電子ブックデータＣのコピー制限を解除する（ステップＳ７）。
【００７０】
入金確認部２１１ｂが、著作権料に加えてコピー代金の入金、即ち、著作権料及びコピー代金の総額の入金を確認すると（ステップＳ８／ＹＥＳ）、画像形成部２０６は、コピー制限が解除された電子ブックデータＣを印刷用データに変換し、コピーを実行する（ステップＳ９）。
【００７１】
ステップＳ３において、電子ブックデータＣを電子ブック端末４に残さずにコピーする“残さないボタン”６４（図６参照）を操作すると（ステップＳ３／残さないボタン操作）、電子ブックデータコピー制御部２１１は、電子ブックデータＣを電子ブック端末４から取得し、記録部２０７に記録する（ステップＳ１０）。
【００７２】
次いで、電子ブックデータコピー制御部２１１は、コピー代金を決定する（ステップＳ１１）。なお、前述したように、前記コピー代金には、電子ブックデータＣのコピーに必要な著作権料は含まれない
【００７３】
入金確認部２１１ｂが、電子ブックデータコピー制御部２１１が決定したコピー代金が入金されたことを確認すると（ステップＳ１２／ＹＥＳ）、電子ブックデータ消去部２１１ａは、電子ブックデータＣを消去するように指示する消去コマンドを電子ブック端末４に送信する（ステップＳ１３）。
【００７４】
電子ブックデータ消去部２１１ａが、電子ブックデータＣを消去したことを示す消去完了コマンドを電子ブック端末４から受信すると（ステップＳ１４／ＹＥＳ）、コピー制限解除部２１１ｃは、記録部２０７に記録されている電子ブックデータＣのコピー制限を解除し、画像形成部２０６は、コピー制限が解除された電子ブックデータＣをコピーする（ステップＳ１５）。
【００７５】
制御部２１２が、電子ブックデータＣのコピーが正常に終了（成功）したことを検知すると（ステップＳ１６／コピー成功）、電子ブックデータ消去部２１１ａは、画像形成装置２の記録部２０７に記録されている電子ブックデータＣを消去する（ステップＳ１７）。
【００７６】
制御部２１２が、電子ブックデータＣのコピーが失敗したことを検知すると（ステップＳ１６／失敗）、電子ブックデータコピー制御部２１１は、記録部２０７に記録されている電子ブックデータＣを電子ブック端末４に送信し、電子ブックデータＣを電子ブック端末４に書き戻す処理を実行する（ステップＳ１８）。
【００７７】
なお、図１２Ａ、図１２Ｂで説明したステップを省略したり、入れ替えてもよい。例えば、図１２Ａのフロー図では、コピーに必要な著作権料の入金確認後（ステップＳ６／ＹＥＳ）、コピー制限解除部２１１ｃが、電子ブックデータＣのコピー制限を解除し（ステップＳ７）、更に、著作権料及びコピー代金の総額の入金確認後（ステップＳ８／ＹＥＳ）、コピー制限が解除された電子ブックデータＣのコピーを実行（ステップＳ９）している。
【００７８】
しかし、著作権料及びコピー代金の総額の入金確認後（ステップＳ８／ＹＥＳ）、電子ブックデータＣのコピー制限を解除し（ステップＳ７）、コピー制限が解除された電子ブックデータＣのコピーを実行（ステップＳ９）してもよい。即ち、ステップＳ６の処理を省略し、ステップＳ８の判定処理の後に、ステップＳ７の処理を実行し、次いで、ステップ９の処理を実行してもよい。
【００７９】
また、図１２Ｂのフロー図では、コピー代金の入金確認後（ステップＳ１２／ＹＥＳ）、ステップＳ１３、Ｓ１４の処理を実行しているが、電子ブックデータＣの消去完了コマンドを受信した後（ステップＳ１４／ＹＥＳ）、コピー代金の入金確認（ステップＳ１２）を実行してもよい。即ち、ステップＳ１４の後に、ステップＳ１２を実行し、その後、ステップＳ１５を実行してもよい。
【００８０】
（付記）
課金装置３として、コインボックスを例示したが、他にも、クレジットカード決済システム、電子マネー決済システム、プリベートカード決済システム等を利用することができる。
【００８１】
電子ブックデータのコピーページとして、全ページを選択した場合を例示したが、電子ブックデータにおける例えば、ページ数、行数等の任意の範囲を選択することができる。
【００８２】
このとき、電子ブックデータを電子ブック端末４に残したままコピーする場合、電子ブックデータコピー制御部２１１は、コピーするページ数、行数、更には、文字数等のコピーデータ量に基づいて、コピーに必要な著作権料を決定する。例えば、全ページ数がＸページの電子ブックデータをＸ１ページコピーする場合を想定し、仮に、前記電子ブックデータを全ページコピーするのに必要な著作権料はＹ円だとする。この場合、前記電子ブックデータをＸ１ページコピーするのに必要な著作権料を、例えば、（Ｘ１／Ｘ）×Ｙとする。
【００８３】
このようにすることで、ユーザがコピーしたい範囲のみをコピーすることができる。また、著作権料をきめ細かに決定することができる。その結果、ユーザの利便性が向上する。特に、コピーするページ数を選択できるので、操作が容易になる。また、ページの途中からコピーすることができ、不要部分をコピーすることがない（無駄な部分のコピーを防止できる）。
【００８４】
また、電子ブックデータを電子ブック端末４に残さずにコピーする場合、電子ブックデータコピー制御部２１１は、前記電子ブックデータにおける前記選択された任意の範囲を消去するように指示する消去コマンドを電子ブック端末４に送信する。前記消去コマンドを受信した電子ブック端末４の電子ブックデータ管理部４０５は、電子ブックデータ記録部４０４に記録されている前記電子ブックデータにおける前記選択された任意の範囲を消去する。
【００８５】
このようにすることで、ユーザがコピーしたい場所のみをコピーすることができる。その結果、ユーザの利便性が向上する。特に、コピーするページ数を選択できるので、操作が容易になる。また、ページの途中からコピーすることができ、不要部分をコピーすることがない（無駄な部分のコピーを防止できる）。
【符号の説明】
【００８６】
１…電子ブックデータ送信サーバ装置（送信サーバ装置）、２…画像形成装置、２０１…ネットワーク接続部、２０２…課金装置接続部、２０３…端末接続部、２０４…操作部、２０５…表示部、２０６…画像形成部、２０７…記録部、２０８…メモリ、２１０…電子ブックデータダウンロード部、２１１…電子ブックデータコピー制御部、２１１ａ…電子ブックデータ消去部、２１１ｂ…入金確認部、２１１ｃ…コピー制限解除部、２１２…制御部、３…課金装置、４…電子ブック端末、４０１…画像形成装置接続部、４０２…表示部、４０３…電子ブックデータダウンロード部、４０４…電子ブックデータ記録部、４０５…電子ブックデータ管理部、４０６…メモリ、４０７…制御部、４０…操作画面、５０…電子ブックデータコピー用操作画面、６０…選択画面、７０…代金画面、８０…報知画面、９０…代金画面、１００…報知画面、１１０…報知画面。
【図１】
2011257903.tif 000003
【図２】
2011257903.tif 000004
【図３】
2011257903.tif 000005
【図４】
2011257903.tif 000006
【図５】
2011257903.tif 000007
【図６】
2011257903.tif 000008
【図７】
2011257903.tif 000009
【図８】
2011257903.tif 000010
【図９】
2011257903.tif 000011
【図１０】
2011257903.tif 000012
【図１１】
2011257903.tif 000013
【図１２Ａ】
2011257903.tif 000014
【図１２Ｂ】
2011257903.tif 000015